(57)【要約】【課題】省スペース化と部品点数削減とを図ることが可能なワイヤハーネスを提供する。【解決手段】ワイヤハーネス９は、車両床下１１を通って配策される長尺なものであり、高電圧回路１９をシールド部材２０にて覆ったままの状態で低電圧回路１６と共に樹脂管体１７に収容してなるものである。高電圧回路１９は、複数本の高電圧用の非シールド電線２１であり、導体２２及び絶縁体２３からなるシースレス構造の電線である。また、低電圧回路１６も同様に導体２５及び絶縁体２６からなるシースレス構造の電線である。シールド部材２０は、編組、金属箔からなるテープ、及び金属箔からなるシートのいずれか一つである。樹脂管体１７は、少なくとも車両床下１１に対応する部分が高電圧回路１９と低電圧回路１６とを一列に並べるようにして収容する平型形状に形成されたものである。【選択図】図３
2015220941.tif 000002
【特許請求の範囲】
【請求項１】
高電圧回路と低電圧回路とを並列に配置してなるワイヤハーネスにおいて、
前記高電圧回路は複数本の非シールド電線であり、当該ワイヤハーネスは前記複数本の非シールド電線である前記高電圧回路をシールド部材にて覆ったままの状態で前記低電圧回路と共に樹脂管体に収容してなる
ことを特徴とするワイヤハーネス。
【請求項２】
請求項１に記載のワイヤハーネスにおいて、
前記非シールド電線は導体及び絶縁体からなるシースレス構造の電線である
ことを特徴とするワイヤハーネス。
【請求項３】
請求項１又は２に記載のワイヤハーネスにおいて、
前記シールド部材は編組、金属箔からなるテープ、及び金属箔からなるシートのいずれか一つである
ことを特徴とするワイヤハーネス。
【請求項４】
請求項１、２又は３に記載のワイヤハーネスにおいて、
前記低電圧回路は一又は複数本の非シールド電線であり、且つ導体及び絶縁体からなるシースレス構造の電線である
ことを特徴とするワイヤハーネス。
【請求項５】
請求項１、２、３又は４に記載のワイヤハーネスにおいて、
当該ワイヤハーネスは車両床下を含んで配索される
ことを特徴とするワイヤハーネス。
【請求項６】
請求項５に記載のワイヤハーネスにおいて、
前記樹脂管体は少なくとも前記車両床下に対応する部分が前記複数本の非シールド電線である前記高電圧回路と前記低電圧回路とを一列に並べるようにして収容する平型形状のものであり、且つ可撓性を有する可撓管部とストレートに配索する部分としてのストレート管部とを有する
ことを特徴とするワイヤハーネス。
【請求項７】
請求項５に記載のワイヤハーネスにおいて、
前記樹脂管体は少なくとも前記車両床下に対応する部分が前記複数本の非シールド電線である前記高電圧回路と前記低電圧回路とを一列に並べるようにして収容する平型形状のものであり、且つ可撓性を有する可撓管部のみからなる
ことを特徴とするワイヤハーネス。
【発明の詳細な説明】
【技術分野】
【０００１】
本発明は、ワイヤハーネスに関し、詳しくは、高電圧回路と低電圧回路とが並列に配置されるワイヤハーネスに関する。
【背景技術】
【０００２】
例えば、ハイブリッド自動車や電気自動車に搭載される高電圧用の機器間を電気的に接続するワイヤハーネスとしては、また、低電圧用の機器間も電気的に接続するワイヤハーネスとしては、下記特許文献１のものが知られる。
【０００３】
下記特許文献１のワイヤハーネスは、車両床下を通って配索される長尺なもので、六本の高電圧シールド電線である高電圧回路と、二本の低圧電線である低電圧回路と、第一〜第三の管体とを備えて構成される。このような構成のワイヤハーネスは、上記六本のうち三本の高電圧シールド電線が第一の管体に収容されるとともに、残り三本の高電圧シールド電線が第二の管体に収容され、さらに、二本の低圧電線が第三の管体に収容されることによりなる。第一〜第三の管体は、これらが並ぶように配設される。
【先行技術文献】
【特許文献】
【０００４】
【特許文献１】特開２０１０−４７０３３号公報
【発明の概要】
【発明が解決しようとする課題】
【０００５】
上記従来のワイヤハーネスにあっては、高電圧用のシールド電線を用いることから、次のような問題点を有する。すなわち、高電圧用のシールド電線は、導体及び絶縁体からなる線心の外側にシールド部材としての編組を設け、さらに編組の上にシースを設けてなる構成及び構造のものであることから、比較的太い電線になってしまい、これが複数本あれば、確保しなければならないスペースが大きくなってしまうという問題点を有する。
【０００６】
また、上記従来のワイヤハーネスにあっては、第一〜第三の管体を用いて回路毎に分けて配索するものであることから、次のような問題点を更に有する。すなわち、部品点数が多いという問題点や、第一〜第三の管体を並べて配置する分だけのスペースを確保しなければならないという問題点を有する。
【０００７】
本発明は、上記した事情に鑑みてなされたもので、省スペース化と部品点数削減とを図ることが可能なワイヤハーネスを提供することを課題とする。
【課題を解決するための手段】
【０００８】
上記課題を解決するためになされた請求項１に記載の本発明は、高電圧回路と低電圧回路とを並列に配置してなるワイヤハーネスにおいて、前記高電圧回路は複数本の非シールド電線であり、当該ワイヤハーネスは前記複数本の非シールド電線である前記高電圧回路をシールド部材にて覆ったままの状態で前記低電圧回路と共に樹脂管体に収容してなることを特徴とする。
【０００９】
請求項２に記載の本発明は、請求項１に記載のワイヤハーネスにおいて、前記非シールド電線は導体及び絶縁体からなるシースレス構造の電線であることを特徴とする。
【００１０】
請求項３に記載の本発明は、請求項１又は２に記載のワイヤハーネスにおいて、前記シールド部材は編組、金属箔からなるテープ、及び金属箔からなるシートのいずれか一つであることを特徴とする。
【００１１】
請求項４に記載の本発明は、請求項１、２又は３に記載のワイヤハーネスにおいて、前記低電圧回路は一又は複数本の非シールド電線であり、且つ導体及び絶縁体からなるシースレス構造の電線であることを特徴とする。
【００１２】
請求項５に記載の本発明は、請求項１、２、３又は４に記載のワイヤハーネスにおいて、当該ワイヤハーネスは車両床下を含んで配索されることを特徴とする。
【００１３】
請求項６に記載の本発明は、請求項５に記載のワイヤハーネスにおいて、前記樹脂管体は少なくとも前記車両床下に対応する部分が前記複数本の非シールド電線である前記高電圧回路と前記低電圧回路とを一列に並べるようにして収容する平型形状のものであり、且つ可撓性を有する可撓管部とストレートに配索する部分としてのストレート管部とを有することを特徴とする。
【００１４】
請求項７に記載の本発明は、請求項５に記載のワイヤハーネスにおいて、前記樹脂管体は少なくとも前記車両床下に対応する部分が前記複数本の非シールド電線である前記高電圧回路と前記低電圧回路とを一列に並べるようにして収容する平型形状のものであり、且つ可撓性を有する可撓管部のみからなることを特徴とする。
【発明の効果】
【００１５】
請求項１に記載された本発明によれば、高電圧回路と低電圧回路とを同時並列に一つの樹脂管体に収容してなるワイヤハーネスであることから、従来例と比べて部品点数の削減を図ることができるという効果を奏する。また、本発明によれば、高電圧回路として非シールド電線を採用することから、公知のシールド電線と比べて細い電線にすることができ、結果、省スペース化を図ることができるという効果を奏する。
【００１６】
請求項２に記載された本発明によれば、シースレス構造のものを採用することから、少なくともシースがない分だけ高電圧回路を細くすることができるという効果を奏する。すなわち、省スペース化を図ることができるという効果を奏する。
【００１７】
請求項３に記載された本発明によれば、編組、金属箔からなるテープ、及び金属箔からなるシートのいずれか一つを用いてシールド機能を発揮させることができるのは勿論のこと、上記いずれか一つであればシールド部材にて高電圧回路を覆ってもこの部分が太くならず、結果、省スペース化を図ることができるという効果を奏する。
【００１８】
請求項４に記載された本発明によれば、シースレス構造のものを採用することから、少なくともシースがない分だけ低電圧回路を細くすることができるという効果を奏する。すなわち、省スペース化を図ることができるという効果を奏する。
【００１９】
請求項５に記載された本発明によれば、上記省スペース化により、地面までの距離が短い車両床下であっても低背化した状態で配策することができるという効果を奏する。
【００２０】
請求項６に記載された本発明によれば、平型形状の樹脂管体を採用することから、車両床下に配策されても地面までの距離を稼ぐことができるという効果を奏する。また、本発明によれば、可撓管部とストレート管部とを有する樹脂管体を採用することから、曲げたい箇所やストレートにしたい箇所を使い分けることができるという効果も奏する。
【００２１】
請求項７に記載された本発明によれば、平型形状の樹脂管体を採用することから、車両床下に配策されても地面までの距離を稼ぐことができるという効果を奏する。また、本発明によれば、全体を可撓管部にした樹脂管体を採用することから、所望の位置で曲げることができるという効果も奏する。
【図面の簡単な説明】
【００２２】
【図１】本発明のワイヤハーネスの配索状態を示す模式図である（実施例１）。
【図２】ワイヤハーネスの斜視図である（実施例１）。
【図３】図２のＡ−Ａ線断面図である（実施例１）。
【図４】変形例としてのワイヤハーネスの断面図である（実施例２）。
【発明を実施するための形態】
【００２３】
ワイヤハーネスは、車両床下を通って配策される長尺なものであり、高電圧回路をシールド部材にて覆ったままの状態で低電圧回路と共に樹脂管体に収容してなるものである。高電圧回路は、複数本の高電圧用の非シールド電線であり、導体及び絶縁体からなるシースレス構造の電線である。また、低電圧回路も同様に導体及び絶縁体からなるシースレス構造の電線である。シールド部材は、編組、金属箔からなるテープ、及び金属箔からなるシートのいずれか一つである。樹脂管体は、少なくとも車両床下に対応する部分が高電圧回路と低電圧回路とを一列に並べるようにして収容する平型形状に形成されたものである。
【実施例１】
【００２４】
以下、図面を参照しながら実施例１を説明する。図１は本発明のワイヤハーネスの配索状態を示す模式図である。また、図２はワイヤハーネスの斜視図、図３は図２のＡ−Ａ線断面図である。
【００２５】
本実施例においては、ハイブリッド自動車（電気自動車や一般的な自動車であってもよいものとする）に配索されるワイヤハーネスに対し本発明を採用するものとする。
【００２６】
図１において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよいものとする）。
【００２７】
モータユニット３とインバータユニット４は、高圧のワイヤハーネス８により接続される。また、バッテリー５とインバータユニット４も高圧のワイヤハーネス９により接続される。ワイヤハーネス９は、この中間部１０が車両床下１１に配索される。また、車両床下１１に沿って略平行に配索される。車両床下１１は、公知のボディであるとともに所謂パネル部材であって、所定位置には貫通孔が形成される。この貫通孔には、ワイヤハーネス９が水密に挿通される。
【００２８】
ワイヤハーネス９とバッテリー５は、このバッテリー５に設けられるジャンクションブロック１２を介して接続される。ジャンクションブロック１２には、ワイヤハーネス９の後端１３が公知の方法で電気的に接続される。ワイヤハーネス９の前端１４側は、インバータユニット４に対し公知の方法で電気的に接続される。
【００２９】
モータユニット３は、モータ及びジェネレータを構成に含むものとする。また、インバータユニット４は、インバータ及びコンバータを構成に含むものとする。モータユニット３は、シールドケースを含むモータアッセンブリとして形成されるものとする。また、インバータユニット４もシールドケースを含むインバータアッセンブリとして形成されるものとする。バッテリー５は、Ｎｉ−ＭＨ系やＬｉ−ｉｏｎ系のものであって、モジュール化してなるものとする。尚、例えばキャパシタのような蓄電装置を使用することも可能であるものとする。バッテリー５は、ハイブリッド自動車１や電気自動車に使用可能であれば特に限定されないものとする。
【００３０】
図２において、ワイヤハーネス９は、シールド被覆状態高電圧回路１５を備えて構成される。このシールド被覆状態高電圧回路１５は、以下で説明するが、シールド部材を被覆した状態にある高電圧回路である。
【００３１】
また、ワイヤハーネス９は、シールド被覆状態高電圧回路１５の他に、低電圧回路１６と、樹脂管体１７と、シールド被覆状態高電圧回路１５及び低電圧回路１６の各端末にそれぞれ設けられるコネクタ（図示省略）と、樹脂管体１７の外面に取り付けられる複数のクランプ（図示省略）及びグロメット等とを備えて構成される。
【００３２】
このような構成のうち、シールド被覆状態高電圧回路１５と、低電圧回路１６と、樹脂管体１７とがハーネス本体１８として形成される。
【００３３】
図２および図３において、シールド被覆状態高電圧回路１５は、高電圧回路１９と、シールド部材２０とを備えて構成される。シールド被覆状態高電圧回路１５は、高電圧回路１９をこの全長にわたりシールド部材２０で覆ってなるもので、電気的な接続に必要な長さを有するように形成される。本実施例においては、ワイヤハーネス９がインバータユニット４とバッテリー５（ジャンクションブロック１２。図１参照）とを電気的に接続することから、長尺なものに形成される。
【００３４】
高電圧回路１９は、二本の高電圧用の非シールド電線２１で構成される（本数は一例である。二本に限らず三本以上であってもよい）。高電圧用の非シールド電線２１は、導体２２と、この導体２２を被覆する絶縁体２３とを備えて構成される。高電圧用の非シールド電線２１は、シールドレス構造であり且つシースレス構造の電線である。高電圧用の非シールド電線２１は、二本並んだ状態に配置される。尚、高電圧用の非シールド電線２１は、ノンシールド電線と読み替えてもよい。
【００３５】
導体２２は、銅や銅合金、或いはアルミニウムやアルミニウム合金により製造される。本実施例においては、安価且つ軽量であるというメリットを有することから、アルミニウム製のものが採用される（一例である）。導体２２の導体構造に関しては、素線を撚り合わせてなる断面円形の導体構造のものや、断面矩形又は円形となる棒状の導体構造（例えば平角単心や丸単心となる導体構造であり、この場合、電線自体も棒状となる）のもののいずれであってもよい。以上のような導体２２の外面には、絶縁体２３が押出成形される。
【００３６】
絶縁体２３は、熱可塑性樹脂材料を用いて導体２２の外周面に押出成形される。また、絶縁体２３は、本実施例において、断面円形の被覆として形成される。絶縁体２３は、所定の厚みを有して形成される。上記熱可塑性樹脂としては、公知の様々な種類のものが使用可能であり、例えばポリ塩化ビニル樹脂やポリエチレン樹脂、ポリプロピレン樹脂などの高分子材料から適宜選択される。
【００３７】
尚、本実施例においては、高電圧回路１９として上記構成となる高電圧用の非シールド電線２１を採用するが、この限りでないものとする。すなわち、公知のバスバーに絶縁体を設けた構成のものであってもよいものとする。
【００３８】
シールド部材２０は、二本の高電圧用の非シールド電線２１を一括して覆う電磁シールド用の部材（電磁波対策用のシールド部材）であって、本実施例においては編組が採用される（他の例に関しては図４を参照しながら後述する）。編組は、導電性を有する極細の金属素線を編み込んで筒状又はシート状に形成される。筒状の場合は、この中に二本の高電圧用の非シールド電線２１が並んだ状態で収容される。一方、シート状の場合は、二本の高電圧用の非シールド電線２１に一又は複数回巻き付けられる。尚、シールド部材２０は、電磁シールドの機能を発揮できればよく、極力薄い状態に形成されることが好ましい。
【００３９】
シールド部材２０は、二本の高電圧用の非シールド電線２１（高電圧回路１９）の全長とほぼ同じ長さに形成される。シールド部材２０は、この端部が図示しない上記コネクタ（例えばシールドコネクタ）を介してインバータユニット４（図１参照）のシールドケース等（図示省略）に接続される。
【００４０】
シールド部材２０にて二本の高電圧用の非シールド電線２１（高電圧回路１９）が覆われると、シールド被覆状態高電圧回路１５の形成が完了する。
【００４１】
低電圧回路１６は、一本の低電圧用の非シールド電線２４で構成される（本数は一例である。一本に限らず複数本であってもよい）。低電圧用の非シールド電線２４は、導体２５と、この導体２５を被覆する絶縁体２６とを備えて構成される。低電圧用の非シールド電線２４は、高電圧用の非シールド電線２１と同様、シースレス構造の電線である。
【００４２】
低電圧用の非シールド電線２４は、高電圧回路１９の隣に、すなわち並んだ状態にある二本の高電圧用の非シールド電線２１の隣に配置される。別な言い方をすれば、低電圧回路１６は、シールド被覆状態高電圧回路１５に対し並列になるように配置される。
【００４３】
樹脂管体１７は、管形状の樹脂成形品であって、シールド被覆状態高電圧回路１５と、低電圧回路１６とを並べた状態でこれらを収容することができるように形成される。また、樹脂管体１７は、シールド被覆状態高電圧回路１５と低電圧回路１６の挿通収容に必要な長さ、及び保護に必要な厚みを有するように形成される。樹脂管体１７は、車両床下１１を通って車両前後に跨る長尺なものとして形成される。樹脂管体１７は、シースレス構造の電線を保護するために好適な部材である。
【００４４】
樹脂管体１７は、この外面から内面へと通じる継ぎ目やスリットのない形状に形成される。すなわち、樹脂管体１７は、シールド被覆状態高電圧回路１５と低電圧回路１６とを外部の水分から遠ざけることができるような（防水することができるような）形状に形成される。
【００４５】
樹脂管体１７は、可撓性を有する可撓管部２７と、ストレートに配策する部分としてのストレート管部２８とを有して例えば図示の形状に形成される。別な言い方をすれば、樹脂管体１７は、撓み可能な可撓管部２７と、この可撓管部２７よりも剛性の高いストレート管部２８とを有して例えば図示の形状に形成される。
【００４６】
樹脂管体１７は、可撓管部２７とストレート管部２８とをそれぞれ複数有し、これらが交互に配置されるように形成される。すなわち、シールド被覆状態高電圧回路１５と低電圧回路１６との延在方向に可撓管部２７とストレート管部２８とを連続させるように形成される。
【００４７】
可撓管部２７は、車両取付形状（ワイヤハーネス配索先の形状。固定対象の形状）に合わせて配置形成される。具体的には、曲げの必要な区間に合わせて配置形成される。また、可撓管部２７は、曲げに必要な長さを有するように形成される。この他、可撓管部２７は、断面略矩形となる形状（平型形状）に形成される（車両床下１１に対応する部分でなければ、例えば断面円形に形成してもよい）。
【００４８】
可撓管部２７は、ワイヤハーネス９の製造後となる、梱包時や輸送時、車両への経路配索時（取り付け時）に、それぞれ所望の角度で撓ませる（図示省略）ことができるように形成される。可撓管部２７は、撓ませて所望の曲げ形状にすることができるとともに、元の撓ませない形状に戻すことも当然にできるように形成される。
【００４９】
可撓管部２７は、本実施例において蛇腹管形状に形成される（可撓性を有すれば形状は特に限定されない）。具体的には、周方向の凹部２９及び凸部３０を有するとともに、これら凹部２９及び凸部３０が管軸方向（シールド被覆状態高電圧回路１５と低電圧回路１６との延在方向）に交互に連続するように複数形成される。
【００５０】
上記説明からも分かるように、可撓管部２７の配置部分が恰もコルゲートチューブとなる形状に形成される。言い換えれば、部分的にコルゲートチューブを有する形状に形成される。樹脂管体１７は、上記の如くコルゲートチューブの部分を有することから、「コルチューブ」や「部分形成コルゲートチューブ」などと呼ぶことができるものとする。
【００５１】
一方、ストレート管部２８は、ワイヤハーネス９の梱包時や輸送時、経路配索時に曲がらない部分として形成される（曲がらない部分とは、可撓性を積極的に持たせない部分という意味である）。また、ストレート管部２８は、断面略矩形となる形状に形成される（平型形状に形成される）。別な言い方をすれば、断面略矩形のストレートチューブ形状に形成される。
【００５２】
ストレート管部２８は、少なくとも車両床下１１に配置されるように形成される。また、ストレート管部２８は、上記車両取付形状に合わせた位置や長さに形成される。ストレート管部２８は、上記の如くストレートチューブ形状（直管形状）に形成されることから、また、剛性を有すると言えることから、「直管部」や「剛性部」などと呼ぶことができるものとする。
【００５３】
上記構成及び構造において、ワイヤハーネス９は次のようにして製造される（図示省略）。すなわち、ワイヤハーネス９は、樹脂管体１７の一端から他端へとシールド被覆状態高電圧回路１５と低電圧回路１６とを挿通して製造される。この時、樹脂管体１７は、全体が略直線状に樹脂成形されることから、シールド被覆状態高電圧回路１５と低電圧回路１６は真っ直ぐに挿通される。すなわち、スムーズに挿通される。
【００５４】
また、ワイヤハーネス９は、樹脂管体１７の外面所定位置にクランプやグロメットやブーツ等を取り付けて製造される。さらに、ワイヤハーネス９は、シールド被覆状態高電圧回路１５の端末部分と、低電圧回路１６の端末部分とにそれぞれコネクタを設けて製造される。
【００５５】
上記の如く製造された後は、所定位置の可撓管部２７を折り畳んで曲げを施した状態にする。これにより、ワイヤハーネス９の梱包が完了する。梱包されたワイヤハーネス９はコンパクトな状態になり、このようなコンパクトな状態でワイヤハーネス９は車両組み付け現場まで輸送される。
【００５６】
車両組み付け現場では、車両床下１１に対応する長尺な部分からワイヤハーネス９は車両に取り付けられる。ワイヤハーネス９は、車両床下１１に対応する長尺な部分に樹脂管体１７のストレート管部２８が配置されることから、撓みを抑えた状態で取り付けられる。この時、ワイヤハーネス９は作業性良く取り付けられる。車両床下１１に対応する長尺な部分がクランプ等で固定された後には、樹脂管体１７における可撓管部２７の部分を撓ませつつ（曲げつつ）残りの部分が取り付けられる。取り付けに係る一連の作業が完了すると、ワイヤハーネス９は所望の経路で配索された状態になる。
【００５７】
以上、図１ないし図３を参照しながら説明してきたように、本発明に係るワイヤハーネス９によれば、シールド被覆状態高電圧回路１５と低電圧回路１６とを同時並列に一つの樹脂管体１７に収容してハーネス本体１８の部分が形成されることから、従来例と比べて部品点数の削減を図ることができるという効果を奏する。
【００５８】
また、ワイヤハーネス９によれば、高電圧回路１９として高電圧用の非シールド電線２１を採用することから、公知のシールド電線と比べて細い電線にすることができ、結果、省スペース化を図ることができるという効果を奏する。
【００５９】
また、ワイヤハーネス９によれば、高電圧回路１９と低電圧回路１６とがそれぞれシースレス構造のものであることから、少なくともシースがない分だけ細くすることができるという効果を奏する。すなわち、省スペース化を図ることができるという効果を奏する。
【００６０】
また、ワイヤハーネス９によれば、シールド部材２０が編組からなることから、このようなシールド部材２０にて高電圧回路１９を覆っても太くならず、結果、省スペース化を図ることができるという効果を奏する。
【００６１】
また、ワイヤハーネス９によれば、上記省スペース化により、地面までの距離が短い車両床下１１であっても低背化した状態で配策することができるという効果を奏する。
【００６２】
また、ワイヤハーネス９によれば、断面略矩形となる形状（平型形状）の樹脂管体１７を採用することから、例えば断面略円形と比べ、車両床下１１に配策されても地面までの距離を稼ぐことができるという効果を奏する。すなわち、低背化した状態で配策することができるという効果を奏する。
【００６３】
また、ワイヤハーネス９によれば、可撓管部２７とストレート管部２８とを有する樹脂管体１７を採用することから、曲げたい箇所やストレートにしたい箇所を使い分けることができるという効果を奏する。
【実施例２】
【００６４】
以下、図面を参照しながら実施例２を説明する。図４は変形例としてのワイヤハーネスの断面図である。尚、上記実施例１と基本的に同じ構成部材には同一の符号を付して詳細な説明を省略する。
【００６５】
図４において、ワイヤハーネス９は、このハーネス本体１８がシールド被覆状態高電圧回路１５と、低電圧回路１６と、樹脂管体１７とを備えて構成される。シールド被覆状態高電圧回路１５は、高電圧回路１９をこの全長にわたりシールド部材２０で覆ってなるもので、電気的な接続に必要な長さを有するように形成される。高電圧回路１９は、二本の高電圧用の非シールド電線２１で構成される（本数は一例である）。高電圧用の非シールド電線２１は、導体２２と絶縁体２３とを備えたシールドレス構造で且つシースレス構造の電線である。高電圧用の非シールド電線２１は、二本並んだ状態に配置される。
【００６６】
シールド部材２０は、二本の高電圧用の非シールド電線２１を一括して覆う電磁シールド用の部材であって、本実施例においては金属箔からなるテープ（又は金属箔からなるシート）が採用される。シールド部材２０は薄く、二本の高電圧用の非シールド電線２１に一又は複数回巻き付けるようにして使用される。このようなシールド部材２０にて二本の高電圧用の非シールド電線２１（高電圧回路１９）が覆われると、シールド被覆状態高電圧回路１５の形成が完了する。
【００６７】
上記構成及び構造において、ワイヤハーネス９は、全体が略直線状に樹脂成形された樹脂管体１７の一端から他端へとシールド被覆状態高電圧回路１５と低電圧回路１６とを挿通して製造される。また、ワイヤハーネス９は、樹脂管体１７の外面所定位置にクランプやグロメットやブーツ等を取り付けて製造される。さらに、ワイヤハーネス９は、シールド被覆状態高電圧回路１５の端末部分と、低電圧回路１６の端末部分とにそれぞれコネクタを設けて製造される。
【００６８】
以上、図４を参照しながら説明してきたように、実施例２に係るワイヤハーネス９によれば、シールド被覆状態高電圧回路１５と低電圧回路１６とを同時並列に一つの樹脂管体１７に収容してハーネス本体１８の部分が形成されることから、従来例と比べて部品点数の削減を図ることができるという効果を奏する。すなわち、実施例１と同じ効果を奏する。
【００６９】
また、実施例２に係るワイヤハーネス９によれば、高電圧回路１９として高電圧用の非シールド電線２１を採用することから、公知のシールド電線と比べて細い電線にすることができ、結果、省スペース化を図ることができるという効果を奏する。すなわち、実施例１と同じ効果を奏する。
【００７０】
この他、本発明は本発明の主旨を変えない範囲で種々変更実施可能なことは勿論である。
【００７１】
上記説明では、可撓管部２７とストレート管部２８とを有する樹脂管体１７を採用したが、この限りでないものとする。すなわち、すべて可撓管部２７で形成した樹脂管体であってもよいものとする。この場合、所望の位置で曲げることができるという効果を奏するのは勿論である。
【符号の説明】
【００７２】
１…ハイブリッド自動車、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車両床下、  １２…ジャンクションブロック、  １３…後端、  １４…前端、  １５…シールド被覆状態高電圧回路、  １６…低電圧回路、  １７…樹脂管体、  １８…ハーネス本体、  １９…高電圧回路、  ２０…シールド部材、  ２１…高電圧用の非シールド電線、  ２２…導体、  ２３…絶縁体、  ２４…低電圧用の非シールド電線、  ２５…導体、  ２６…絶縁体、  ２７…可撓管部、  ２８…ストレート管部、  ２９…凹部、  ３０…凸部
【図１】
2015220941.tif 000003
【図２】
2015220941.tif 000004
【図３】
2015220941.tif 000005
【図４】
2015220941.tif 000006